(57)【要約】  本発明は、魚囲い（２）用の浮力システム（１）であって、前記魚囲い（２）は、閉じ込められた魚を保持する筐体（２１）を備え、前記筐体（２１）は、水面（９）を浮遊する柔軟な内側浮力体（３）に固定され、前記浮力システム（１）は、前記内側浮力体（３）の外側に設けられる外側浮力体（４）を有し、前記外側浮力体（４）および前記内側浮力体（３）が波に対して互いに独立して動くように、前記内側浮力体（３）は係留手段（４７）によって前記外側浮力体（４）に固定される、浮力システム（１）である。【選択図】図１
2019506904.tif 000002
【特許請求の範囲】
【請求項１】
魚囲い（２）用の浮力システム（１）であって、
前記魚囲い（２）は、閉じ込められた魚を保持する筐体（２１）を備え、
前記筐体（２１）は、水面（９）を浮遊する柔軟な内側浮力体（３）に固定され、
前記浮力システム（１）は、前記内側浮力体（３）の外側に設けられる外側浮力体（４）を有し、
前記外側浮力体（４）および前記内側浮力体（３）が波に対して互いに独立して動くように、前記内側浮力体（３）は係留手段（４７）によって前記外側浮力体（４）に固定される、浮力システム（１）。
【請求項２】
前記筐体（２１）は、引き網（２４）および防水布（２３）を備えるグループから選択される、請求項１に記載の浮力システム（１）。
【請求項３】
前記内側浮力体（３）は環状である、請求項１または２に記載の浮力システム（１）。
【請求項４】
前記内側浮力体（３）は、パイプから構成される、請求項１〜３のいずれか１項に記載の浮力システム（１）。
【請求項５】
前記外側浮力体（４）は、前記内側浮力体（３）全体を取り囲む１つの剛性浮遊要素からなる、請求項１〜４のいずれか１項に記載の浮力システム（１）。
【請求項６】
前記外側浮力体（４）は、前記内側浮力体（３）に面する側面（４２）を備え、前記側面（４２）は、円形の内側形状を形成するように凹状に湾曲する、請求項５に記載の浮力システム（１）。
【請求項７】
前記外側浮力体（４）は、複数のモジュール（４１）が前記内側浮力体（３）の全体を取り囲むように、隣接する前記モジュール（４１）に接続されるように配置される前記モジュール（４１）を有する、請求項１〜４のいずれか１項に記載の浮力システム（１）。
【請求項８】
前記モジュール（４１）は、前記内側浮力体（３）に面する側面（４２）を有し、前記側面（４２）は、円形の内側形状の一部を形成するように凹状に湾曲してなる、請求項７に記載の浮力システム（１）。
【請求項９】
前記係留手段（４７）は、ロープ、ワイヤ、ラウンドスリング、およびチェーンを備えるグループから選択される、請求項１〜８のいずれか１項に記載の浮力システム（１）。
【請求項１０】
前記係留手段（４７）には、係留バネ（４９）が設けられる、請求項９に記載の浮力システム（１）。
【発明の詳細な説明】
【技術分野】
【０００１】
本発明は、魚の養殖に用いられる囲い用の浮力システムに関する。特に、本発明は、第２浮力ユニットに対して移動可能に取り付けられた第１浮力ユニットに関する。第１浮力ユニットは、環状の可撓性を備える内側浮力体を有し、ネットまたは布の形態の魚囲いの筐体は、内側浮力体に対して解放可能に固定される。第２浮力ユニットは、作業プラットフォームを構成する１つ以上の外側浮力体を有し、作業プラットフォームは、第１浮力ユニットの外側に設けられる。第１浮力ユニットおよび第２浮力ユニットは、波に対して互いに独立して動く。
【背景技術】
【０００２】
食用の魚の養殖は、タンク、船、または地上の池、および水面に浮かぶ筐体で行われる。このような浮かぶ筐体は、湖または海に配置され、魚囲い（ｆｉｓｈ  ｐｅｎ）と呼ばれる。海洋生物の養殖は、魚囲いで行われる。サーモン（Ｓａｌｍｏ  ｓａｌａｒ）やニジマス（Ｏｎｃｏｒｈｙｎｃｈｕｓ  ｍｙｋｉｓｓ）のような魚類の養殖は、魚が海水に適応し海水に置かれた後に、魚囲いで行われる。
【０００３】
魚囲いは、開いた魚囲いおよび閉じた魚囲いの２つの主なグループに分けられる。開いた魚囲いは、魚のための物理的な筐体を形成するネットと、ネットの浮遊状態を維持する包囲浮力ユニットと、を有する。これに加えて、魚囲いは、魚囲いを所定の位置に保持するために必要な係留手段およびアンカーシステムと、浮力ユニットを飛び越して魚が逃げるのを防止するための包囲ジャンプネットと、を有する。水はネットを通って自由に流れる。閉じた魚囲いは、水が筐体の内部に自由に流れ込むことができないようにタイトな壁を備える。タイトな壁は、剛性材料の壁でも、布のような柔らかい材料の壁でもよい。
【０００４】
開いた魚囲いには、いくつかの欠点がある。鮭類の養殖では、魚が鮭のシラミのような甲殻類の寄生虫やウイルス、細菌、寄生虫による他の病気に感染するという欠点がある。また、特にネットに破れが偶然形成されたときに、魚が逃げ出す。また、開いた魚囲いは、排せつ物のような老廃物および未摂取のえさを魚に供給する。魚囲いの内部の水温は、周囲の水の温度に追従する。冬には、魚が最適に生育するために、水温が低すぎる。また、夏には、水温が高すぎて、魚が最適に生育できない可能性がある。
【０００５】
閉じた魚囲いは、開いた魚囲いの代わりであって、閉じた魚囲いは、開いた魚囲いに関連するいくつかの問題を解決する。閉じた魚囲いは、当業者で知られている。特許文献ＮＯ１６０７５２、ＵＳ４７９８１６８、ＷＯ２０１１／１３３０４５、およびＷＯ２０１４／１２３４２７には、壁がタイトな布材料で形成された魚囲いが開示されている。
【０００６】
壁が剛性材料で形成されたような閉じた魚囲いも知られている。特許文献ＮＯ１６６５１１には、円錐形の下部を備えた円筒形のサイロを有する半潜水浮遊プラットフォームが開示されている。特許文献１６５７８３には、魚用の船形状のコンテナが開示されている。特許文献ＷＯ２０１０／０１６７６９には、防水かつ実質的に合成の材料からなる魚囲いが開示されており、その魚囲いは実質的に半球状である。特許文献ＷＯ２０１０／０９９５９０には、浮力を付与するために中間発泡材料を有する防水性繊維ガラスパネルからなる魚囲いが開示されてる。魚囲いは、平らな底部を備える実質的に円筒形状である。特許文献ＷＯ９４／０２００５には、円筒状の上部および円錐状の下部を備える、閉じた魚囲いが開示されている。魚囲いは、スチール、コンクリートまたは柔らかい強化プラスチック布から構成することができる。
【０００７】
浮遊魚囲い用の浮力システムは、浮力体を備えた鋼製の矩形状の通路（ｗａｌｋｗａｙｓ）で構成することができる。通路は、ヒンジによって互いに接続されている。通路は、縦横の通路を備えるグリッドを形成する。このような浮力システムは、一般的に、開いた魚囲いとともに用いられる。魚用の筐体を形成する引き網は、正方形に配置され、支柱または土台から突出するフックの周りの通路に固定される。浮力システムはまた、溶接されてリングを形成する少なくとも一つのプラスチックパイプから構成されてもよい。浮力システムは、一般的に、２つの同心リングを並べて備えている。３つの同心リングを有するプラスチック製の囲いが知られている。プラスチック製のリングは、プラスチック製のまたは金属製の剛性クランプと径方向に沿って接続されている。クランプは、プラスチック製のリングを一定の距離だけ離して保持する。プラスチック製のリングは、波と同じような動きをする。通路は、２つの同心リングの上に置くことができる。開いた魚囲いの中で、引き網は浮力システムの最も内側のリングの内側に配置され、突出した引き網フックに固定される。引き網フックは、パイプまたは浮力システムから突出したレールに固定することができる。プラスチック製の囲いの周囲は、例えば、９０ｍと１６０ｍとの間であって、およそ３０ｍと５０ｍとの間の直径に相当する。
【０００８】
公知の閉じた魚囲いは、開いた魚囲いに関連する欠点のいくつかを解決する。公知の閉じた魚囲いは、またいくつかの問題を有する。
【０００９】
水の交換レートが魚囲い内部の良好な水生環境を維持するのに十分であることを確実にするために、魚囲い内の水面が魚囲いの外側の水面より高くなるように、多くの水をくみ上げることは一般的である。これによって、魚囲い内部の圧力は、周囲の圧力よりも大きくなり、水は形成された開口を介して魚囲いから流出する。これは、閉じた魚囲いの浮力システムを、同じサイズの開いた魚囲いの浮力システムよりも大きな力を付与する。魚囲いの布またはネット自体を浮かせることに加えて、浮力システムの浮力は、周囲の水の水面の上にある魚囲い内部の水の量を保持するための大きさでなければならない。この水はかなりの量を構成する。さらにこの水は、慣性モーメントを有しており、慣性モーメントは、浮力システムによる波の影響を、浮力システムによって波の動きが魚囲いに実質的に妨害されない開いた魚囲いよりも大きくする。上述したように、閉じた魚囲いの壁は、布の形態の材料を含むことができる。魚囲いの内部の水の量が負の浮力を提供するという事実のために、布の形態の材料は大きな引裂き強さを有していなければならない。引き網と同様に布の材料を浮力システムに取り付けることはできない。布の形の材料の孔は、引裂き強さを弱める。孔は水面上に配置される。孔はグロメットで補強されてもよいが、浮力システム上または柵上の複数のフックに布の複数の穴の間隔を適応させて布が滑らかに保たれるようにすることは困難である。魚囲いの内側の水圧は布を伸ばすが、フック間の距離が短すぎると、ひだが形成される。形成された孔に対してフック間の距離が長すぎると、１つ以上のフックを使用することが不可能になる。閉じた魚囲いでは、これは浮力システムに対する魚囲いの布の取り付け強度を弱める。
【００１０】
剛性のある壁を備える閉じた魚囲いにおいて、浮力システムは、例えば特許文献ＷＯ１０２０／０９９５９に示されるように、壁に組み込まれてもよく、また、例えば特許文献ＷＯ２０１０／０１６７６９に示されるように、壁に取り付けられた可撓性のある要素であってもよい。
【００１１】
布の形態の材料の壁を有する閉じた魚囲いでは、浮力システムを形成するいくつかの公知の方法が存在する。特許文献ＷＯ２０１３／０８５３９２号には、魚囲いの周りに延在する複数のモジュールを備える浮力システムが開示されている。各モジュールは、魚囲いに面する側に少なくとも１つのスロットを備えている。魚囲いの壁に取り付けられたストラップは、スロットに固定することができる。ストラップは、特許文献ＷＯ２０１４／１２３４２７に記載されているように、布材料に孔が形成されることなく、魚囲いの壁の布材料に取り付けることができる。特許文献ＷＯ２０１４／１２３４２７はまた、別の浮力システムを示している。略同一の半径の２つの同心円状のプラスチックリングが、魚囲いの周りに配置され、一方のプラスチックリングは他方のプラスチックリングの上に配置する。
【００１２】
特許文献ＷＯ２０１１／１３３０４５には、魚囲いの周囲を取り囲む剛性のカラーとして形成された浮力システムが開示されている。カラーは、魚囲いの周囲に配置されたブラケットが設けられている。密閉袋は、ブラケットから吊り下げられている。
【００１３】
特許文献ＷＯ２０１１／１３３０４５に開示されている比較的大きく高剛性の浮力システムは、浮力システム内の閉じた袋用の防波堤または波ダンパーとして部分的に機能する。上述したように、閉じた袋は、かなりの量の水を含み、袋は波の中で浮力システムとは異なる動きをする。これによって、閉じた袋および浮力システムの間の固定装置に対して相当の負担を生じさせる。特許文献ＷＯ２０１３／０８５３９２および特許文献ＷＯ２０１４／１２３４２７に開示されている浮力システムは、袋とともに波の動きに従い、閉じた袋および浮力システムの間の固定装置に生じるひずみは、小さくなる。しかしながら、これらの文献の浮力システムには、魚囲いの周囲に防波堤または波ダンパーがなく、袋の壁自身に対して大きなひずみを与えるという欠点がある。冬には、水面に氷が浮遊する危険性があり、そのような氷は浅い浮力システムの下で駆動されて、袋に孔が開けられる。
【発明の概要】
【発明が解決しようとする課題】
【００１４】
浮力システム用の袋のための別の固定装置を検討して、従来技術よりも袋の大部分にひずみが分散するようにする必要がある。従来技術によれば、固定装置は、袋の上部において袋に取り付けられ、一般的に水面の上に取り付けられる。また、迅速に袋に取り付けることができ、迅速に浮力システムに固定することができ、迅速に再解放することのできる固定装置が必要である。
【００１５】
本発明は、先行技術の欠点の少なくとも１つを改善または軽減するか、または少なくとも先行技術に有用な代替物を提供することを目的とする。
【課題を解決するための手段】
【００１６】
この目的は、以下の説明および以下の特許請求の範囲に記載された特徴によって達成される。
【００１７】
第１の態様において、本発明はより具体的には、魚囲い用の浮力システムに関し、魚囲いは、魚囲いに閉じ込められた魚を維持するための筐体を備え、筐体は、水面に浮かぶ可撓性を備える内側浮力体に固定される。浮力システムは、内側浮力体の外側に外側浮力体を有し、第１の浮力体は係留手段を用いて第２の浮力手段に固定され、外側浮力体および内側浮力体は、波に対して互いに独立して動く。係留手段は、弾性体でありうる。
【００１８】
筐体は、引き網および防水布からなる群から選択される。
【００１９】
内側浮力体は環状でありうる。内側浮力体は、パイプでありうる。
【００２０】
外側浮力体は、内側の浮遊要素全体を取り囲む１つの剛性の浮遊要素から構成されてもよい。一の外側浮力体は、内側浮力体に面する側部を有し、側部は、凹状に湾曲して内側円形（ｉｎｓｉｄｅ  ｃｉｒｃｕｌａｒ  ｓｈａｐｅ）を形成してもよい。別の実施形態では、外側浮力体は、隣接するモジュールに接続されるように構成されたモジュールを備え、複数のモジュールが内側浮力体の全体を取り囲むように構成されてもよい。モジュールは、内側浮力体に面する側部を備えてもよく、側部は、凹状に湾曲して内側円形の一部を形成してもよい。
【００２１】
係留手段は、ロープ、ワイヤ、丸型スリングおよびチェーンを含むグループから選択することができる。係留手段は係留バネを備えていてもよい。
【００２２】
魚の養殖用の魚囲いの筐体を、魚囲いの浮力体に対して取り外し可能に固定するためのカップリングも記載されており、囲いは、外側と内側の壁を有し、水面に浮いている浮力体に固定されている。浮力体の下の部分では、固定用のアイ（ｅｙｅ）を壁の外側に取り付けることができ、ストラップは、固定用のアイを浮力体に接続する。固定用のアイは、囲いの周囲に分布してもよい。
【００２３】
カップリングは、その下端部において壁の外側に固定され、その自由端部において、固定用のアイが設けられている連結アームを含むことができる。
【００２４】
カップリングの固定用のアイは、適用位置において実質的に水平なスリーブからなり、スリーブは、第１の開口部および第２の開口部を有する。第１の端部および第２の端部を有する細長いヨークは、第１の端部が第１の開口部を越えて突出して、第２の端部が第２の開口部を越えて突出するように、スリーブ内に配置されてもよい。そして、ストラップは、第１の端部を浮力体に接続し、ストラップは、第２の端部を浮力体に接続してもよい。
【００２５】
ヨークには、第１の端部および第２の端部の少なくとも一方に貫通孔が設けられ、貫通孔はストラップを収容できる。ストラップは、ロープ、ラウンドスリング、ワイヤおよびチェーンを含むグループから選択されてもよい。固定用のアイは、少なくとも２本のストラップで浮力体に解放可能に固定されてもよい。
【００２６】
一の実施形態では、スリーブは、引き網の一部から構成されており、スリーブは、引き網からなる筐体に取り付けることができる。他の実施形態では、連結アームは、布の形態のポリマー材料からなり、壁は布状のポリマー材料からなり、連結アームの下端部は、溶接によって壁に固定される。
【００２７】
魚の養殖のための魚囲いの筐体を魚囲い用の浮力体に対して取り外し可能に固定するためのカップリングも記載されており、筐体は外面および内面を備える壁を有し、筐体は、水面に浮遊する浮力体に固定され、浮力体は、内側、外側、および上側を有する。浮力体の下方部における壁の外側に固定用のアイを取り付けることができる。ストラップは、固定用のアイを浮力体に接続することができる。ストラップは第１の部分および第２の部分を備え、ストラップには第１の部分および第２の部分の少なくとも一方にフックが設けられてもよい。固定用のアイは、筐体の周囲に分布していてもよい。
【００２８】
ストラップの第１の部分および第２の部分には、それぞれフックが設けられてもよく、ストラップの先の部分は、フックの第１の部分が浮力体の内側を越えて浮力体の上側まで伸びるように、固定用のアイに収容されてもよく、ストラップの第２の部分が浮力体の外側を越えて浮力体の上側まで伸びて、２つのフックが浮力体の上側で互いに接続されるようにする。
【００２９】
固定用のアイは、適用位置において実質的に水平なスリーブからなり、スリーブは、第１の開口部および第２の開口部を有する。第１の端部および第２の端部を有する細長いヨークは、第１の端部が第１の開口部を越えて突出して、第２の端部が第２の開口部を越えて突出するように、スリーブ内に配置されてもよい。そして、ストラップは、第１の端部を浮力体に接続し、ストラップは、第２の端部を浮力体に接続してもよい。ヨークには、第１の端部および第２の端部の少なくとも一方に貫通孔が設けられ、貫通孔はストラップを収容できる。
【００３０】
一の実施形態において、ストラップの第１の部分および第２の部分には、それぞれフックが設けられてもよく、ストラップの先の部分は、ストラップの第１の部分が、浮力体の内側を越えて浮力体の上側まで伸びるように、貫通孔に収容されてもよく、ストラップの第２の部分が浮力体の外側を越えて浮力体の上側まで伸びて、２つのフックが浮力体の上側で互いに接続されてもよい。
【００３１】
別の実施形態では、カップリングは、２つのストラップを含み、それぞれのストラップは、第１の部分において、ヨークの端部の１つに固定され、それぞれのストラップは、第２の部分において、フックを備え、第１のストラップは浮力体の内側を越えて浮力体の上側に延在し、第２のストラップは、浮力体の外側を越えて浮力体の上側まで延在し、その結果、２つのフックは、浮力体の上側で互いに接続されてもよい。
【００３２】
ストラップは、ラウンドスリング、ロープ、ワイヤ、およびチェーンを含むグループから選択することができる。
【００３３】
フックは、Ｃフックを用いることができる。
【００３４】
上述のように魚囲い内の筐体を固定するためのカップリングのラウンドスリングの使用も同様に記載されており、ラウンドスリングは、第１の部分および第２の部分を有するストラップとして形成され、フックは少なくとも１つの部分に取り付けられている。
【００３５】
以下、好ましい実施形態の例が、添付の図面に示されている。
【図面の簡単な説明】
【００３６】
【図１】浮力システムの一部分および閉じた魚囲いの上部を概略的に示す図である。
【図２】図１に示された浮力システムおよび閉じた魚囲いのより小さなスケールでの概略平面図を示す。
【図３】外部から視た魚囲いおよび魚囲いの筐体および浮力体の間のカップリングの斜視図を拡大して示す断面図である。
【図４】別の実施形態に係る図３に対応する図である。
【図５】閉じた筐体上に配置されたヨークへの固定ストラップの取り付けの詳細を大きなスケールで模式的に示す図である。
【図６】ヨークおよび浮力体に固定された固定ストラップのより大きなスケールでの側面図を示す。
【図７】別の実施形態に係る図６に対応する図である。
【図８】別の実施形態に係る図４に対応する図である。
【発明を実施するための形態】
【００３７】
図面において、符号１は、魚囲い２の浮力システムを示す。浮力システム１は、魚囲い２に直接接続された内側浮力体３と、内側浮力体３に直接接続された外側浮力体４と、を有する。内側浮力体３は、魚囲い２の外周に沿って延在している。外側浮力体４も、内側浮力体３の外側において、魚囲い２の外周に沿って延在している。内側浮力体３および外側浮力体４は、いずれも水面９に浮いている。
【００３８】
魚囲い２は、筐体２１を含む。筐体２１は、タイトな布２３、または引き網２４を含む。筐体２１には、筐体２１内の魚（不図示）が逃げることができないように、壁２５および底部（不図示）が形成されている。壁２５の上部２５０は、水面９の上方に延びている。魚囲い２には、壁２５の上方にジャンプネット２７が設けられている。柵３１は、第１浮力体３に固定され、柵３１は、魚囲い２の外周に延びる。柵３１は、複数の支柱３１１と、下側手摺３１３と、上側手摺３１５と、を含む。壁２５の上部２５０は、解放可能な下部締結バンド３３で柵３１に取り付けられている。ジャンプネット２７は、解放可能な上部締結バンド３５で柵３１に取り付けられている。
【００３９】
内側浮力体３は、閉鎖管として示される。そのような管は、ポリエチレンのようなポリマー材料から構成される。そのようなパイプは当該技術分野において公知であり、これ以上説明しない。内側浮力体３は柔軟性があり、波の動きに追随する。筐体２１は、内側浮力体３に対して解放可能に固定されている。
【００４０】
外側浮力体４は、コンクリートまたは金属などの剛性材料から構成されうる。外側浮力体４は、剛性リングとして形成されてもよく、外側浮力体４は、内側浮力体３の周りに間接接続を形成する複数のモジュール４１から構成されてもよい。外側浮力体４は、浮力体４が円形の内側形状を形成するように、内側浮力体３に面する凹状湾曲面４２を備える。モジュール４１には、浮力体４が円形の内側形状の一部を形成するように、内側浮力体３に面する凹状湾曲面４２が設けられている。外側浮力体４は、内側浮力体３よりも大きな浮力を有する。外側浮力体４の上面４０には、魚囲い２の周囲を移動できる表面４０が設けられる。表面４０はまた、機器（不図示）、クレーン用のベース（不図示）、および供給用格納領域（不図示）のための貯蔵領域であってもよい。外側浮力体４は、内側浮力体３と対向する側に、内側浮力体３を外側浮力体４に解放可能に取り付けるための取付部４３を備えている。取付部４３は、複数の取付フープ４５を備えるように示されている。
【００４１】
係留手段４７は、取付部４３から内側浮力体３まで延びている。係留手段４７は、ロープ、ライン、ストラップ、丸いスリング、ワイヤまたはチェーンのような公知のタイプのものでよく、ひずみ軽減要素または係留バネ４９を備えていてもよい。係留手段４７は、公知の方法で、取付フープ４５に解放可能に固定されるとともに、内側浮力体３および柵３１の周りに張り付けられる（図２参照）。これにより、内側浮力体３および外側浮力体４は独立して動くことができる。
【００４２】
捕捉ネット５は、外側浮力要素４および内側浮力要素３の間の水柱９０内で下方に延び、さらに水柱９０内で下方に延びるように取付部４３に取り付けられる。捕捉ネット５は、布２３または引き網２４に裂け目が生じなければ、筐体２１から逃げようとする魚を捕捉する。
【００４３】
図示された浮力システム１は、魚囲い２のための防波堤または波ダンパーとして機能するのに十分な大きさを有する外側浮力体４の利点を有する。浮力体４はまた、流氷が魚囲い２に到達するのを防ぐために喫水が十分深くてもよい。浮力体４は、作業場所としても機能する。内側浮力体３は、波の動きに追従するとともに、魚囲い２の動きに追従するのに十分なほど柔軟である。通常の動作状態では、内側浮力体３は、魚囲い２が開放型であるか閉鎖型であるかにかかわらず、魚囲い２を浮遊させるのに十分な浮力を有する。特に閉鎖された魚囲い２の場合、内側浮力体３の一部が水面９の下に完全に沈んでしまうことがある。外側浮力体４は、係留手段４７によって、内側浮力体３が沈んで水面が壁２５の上部２５０の上になることを防止する。このように、外側浮力体４は、内側浮力体３のバックアップ浮力を構成する。
【００４４】
筐体２１は、カップリング６によって内側浮力体３に固定されている。カップリング６は、下端部６０において、壁２５に固定された連結アーム６１を備える。壁２５が引き網２４を備える場合、連結アーム６１は、ラッシングまたはシーム（不図示）で固定されてもよい。壁２５がタイトな布２３を備える場合、連結アーム６１は、布状の高分子材料または強化高分子材料からなり、連結アーム６１の下部は布２３に溶接６２により固定される（図３、図４、図８参照）。溶接６２は、布２３が溶接６２で割けないように布２３の十分な表面を覆う。筐体２１の周囲には、複数の連結アーム６１が配置されている。
【００４５】
自由端部６９において、連結アーム６１には固定用のアイ６３が設けられている。第１実施形態において、固定用のアイ６３は、第１の開口部および第２の開口部を有するチャネルまたはスリーブ６４として形成することができる。適用位置においてスリーブ６４の長手方向はほぼ水平になる。スリーブ６４は、連結アーム６１の織物材料を自身に溶接することによって、またはシームにおいて織物材料を自身に固定することによって形成することができる。別の実施形態では、固定用のアイ６３は、図４に示すように、リフトアイ６５として形成することができる。固定用のアイ６３は、浮力体３の下方の水没部分に配置される。
【００４６】
第１実施形態において、カップリング６は、第１の端部７０および第２の端部７９を有する細長いヨーク７を備える。ヨーク７は、ヨーク７の第１の端部７０がスリーブ６４の第１の開口部から突出し、第２の端部７９がスリーブ６４の反対側の第２の開口部から突出するように、スリーブ６４内に配置される。ヨーク７の第１の端部７０には、ヨーク７の長手方向に垂直な第１の貫通孔７１が設けられている。ヨーク７の第２の端部７９には、ヨーク７の長手方向に垂直な第２の貫通孔７３が設けられている（図３および図５参照）。ヨーク７は、中実のロッドまたはパイプであってもよい。
【００４７】
連結アーム６１およびヨーク７に加えて、カップリング６は、ストラップ８および連結部材８１を含む。ストラップ８は、ラウンドスリング８２として示されている。第１実施形態において、図３および図５Ａ−５Ｄを参照すると、第１の部分８３０を有する第１のストラップ８３が、第１の貫通孔７１およびスリーブ６４の間のヨーク７の第１の端部７０上に配置される（図５Ａ参照）。第２のストラップ８４は、第１の部分８４０において、第１の貫通孔７１（図５Ｂ参照）を通ってねじ込まれており、ストラップ８４の残りは、第１の部分８４０によって形成されたループを通してねじ込まれている。ストラップ８４が第１の貫通孔７１を通過することにより、ストラップ８４がヨーク７の端部７０から滑り落ちることが防止される。ストラップ８３は、ストラップ８３が一方の側で連結アーム６１に当接し、他方の側でストラップ８４に当接することによって、ヨーク７の第１の端部７０から滑り落ちることが防止される。図にＣフック８５として示される他の連結部材８１は、図５Ｄに示すように、ループを形成する第２の部分８４９によってストラップ８４の第２の部分８４９に固定されている。第１のストラップ８３は、第２の端部８３９において、図にＣフックとして示される連結部材８１を備える。Ｃフック８５は、第２の端部８３９にループで取り付けられている（図６参照）。
【００４８】
ヨーク７は、第１のストラップ８３が浮力体３の一方の側から浮力体３の上側に通され、かつ第２のストラップ８４が浮力体３の他方の側から浮力体３の上側に通されることによって、内側浮力体３に固定され、浮力体３に固定される（図６参照）。２つのストラップ８３、８４の連結部材８１は、浮力体３の上側で、互いに連結させている。Ｃフック８５の形態の連結部材８１は、ストラップ８３、８４にひずみが生じていないときに、道具を使用せずに、迅速に組み立てられ分離させることができる。ストラップ８３、８４がひずんでいるとき、ＣＣフック８５は確実な接続を形成する。
【００４９】
以上、ストラップ８３、８４がヨーク７の第１の端部７０にどのように固定されているかを詳細に説明した。図３に示すように、対応するストラップ８３、８４は、ヨーク７の第２の端部７９に固定されている。ストラップ８４は、部位８４０において、第２貫通孔７３を通過する。
【００５０】
図４は、別の実施形態を示す。第１ストラップ８３は、第１部分８３０にループを備えるリフトアイ６５に固定される。第２部分８３９において、ストラップ８３は、第１実施形態で説明したのと同様に、連結部材８１を備える。ストラップ８３、８４は、第１実施形態と同様に、内側浮力体３の上側で互いに接続されている。
【００５１】
図７は、図６に示す実施形態の変形例を示す。ストラップ８、８３には、第１部分８３０にフック８５が設けられ、第２部分８３９にフック８５が設けられている。ストラップ８３は、ヨーク７の第１の貫通孔７１を貫通している。第１の部分８３０は、浮力体３の内側の上側に通されており、第２の部分８３９は、浮力体３の外側の上側に通されている。フック８５は、浮力体３の上側で互いに連結されている。この変形例では、ヨーク７の端部７０、７９のそれぞれに１つのストラップ８を有すれば十分である。
【００５２】
図８は、図４に示す実施形態の変形例を示している。ストラップ８、８３には、図７に示すように（図８には図示せず）、第１部分８３０にフック８５が、第２部分８３９にフック８５が設けられている。ストラップ８３は、リフトアイ６５を通過している。第１部分８３０は、浮力体３の内側の浮力体３の上側に通されており、第２部分８３９は浮力体３の外側の浮力体３の上側に通されている。フック８５は、図７に示すように、浮力体３の上側で互いに連結され、連結部材８１を形成する。この変形例では、リフトアイ６５のそれぞれに１つのストラップ８を有すれば十分である。
【００５３】
図において、ストラップ８は、ラウンドスリング８２として示されている。ラウンドスリング８２は、ストラップ８、８３として適している。Ｃフック８５は、工具を使用せずに第１部分８３０または第２の部分８３９に取り付けることができる一方で、フック８５およびストラップ８間の強い接続を確立できる。当業者であれば、代替の実施形態では、ストラップ８がロープ、チェーンまたはワイヤで構成されてもよいことを理解するであろう。ロープ、チェーン及びワイヤにＣフック８５を取り付けることもできる。当業者であれば、連結部材８１は、結び目として、およびシャックルおよびアイレットなど、記載されたもの以外の方法で形成され得ることを理解するであろう。当業者であれば、ロープ、チェーンまたはワイヤを、説明した方法以外の方法で固定用のアイ６３に取り付けることもできることを理解するであろう。
【００５４】
上述した全ての実施形態は本発明を例示するものであって、本発明を限定するものではなく、当業者は添付の特許請求の範囲から逸脱することなく多くの代替実施形態を構成することができる。特許請求の範囲において、括弧内の参照番号は限定的であるとみなされるべきではない。
【００５５】
「含む」という動詞およびその異なる形態の使用は、請求項に記載されていない要素またはステップの存在を排除するものではない。要素の前の不定冠詞「ａ」または「ａｎ」は、そのような要素がいくつか存在することを排除するものではない。
【００５６】
いくつかの特徴が互いに異なる従属請求項に示されているという事実は、これらの特徴の組合せを有利に使用できないことを示すものではない。
【図１】
2019506904.tif 000003
【図２】
2019506904.tif 000004
【図３】
2019506904.tif 000005
【図４】
2019506904.tif 000006
【図５】
2019506904.tif 000007
【図６】
2019506904.tif 000008
【図７】
2019506904.tif 000009
【図８】
2019506904.tif 000010
【国際調査報告】
2019506904.tif 000011
2019506904.tif 000012